(57)【要約】      （修正有）【課題】使用機能を多様化し、占有スペースが小さく、使い勝手が向上し、ドアが開いている箇所のスペースを十分に利用できる多機能ドアと家具との複合製品を提供する。【解決手段】支持フレーム１と、少なくとも１枚の組立プレート２とを含む。支持フレームはドアフレームの取付位置制限或いは部屋レイアウトの制限を受けない支持レバーを少なくとも２つ含み、支持レバーと組立プレートとは分離可能に接続され、組立プレートと支持フレームとは接続されて複数種の異なる形状のドアまたは家具に形成される。使用時、組立プレートは異なる方向に支持レバーに沿って回転して折り畳まれ、クッション、リクライニングチェア、ベッド、テーブル、サイドテーブル、陳列棚、衝立及び休憩構造の家具等に接合組立される。【選択図】図２
0003210299.tif 000002
【実用新案登録請求の範囲】
【請求項１】
支持フレームと、少なくとも１枚の組立プレートとを含む多機能ドアと家具との複合製品であって、
前記支持フレームはドアフレームの取付位置制限或いは部屋レイアウトの制限を受けない支持レバーを少なくとも２つ含み、前記支持レバーと組立プレートとは分離可能に接続され、組立プレートと支持フレームとは接続されて複数種の異なる形状のドアまたは家具に形成されることを特徴とする、多機能ドアと家具との複合製品。
【請求項２】
前記組立プレートは２枚以上の多角形プレートで組み合わせられてなり、隣接する２枚の多角形プレートは対向して折り畳まれることを特徴とする、請求項１に記載の多機能ドアと家具との複合製品。
【請求項３】
支持フレームと組立プレートとの交差箇所に、組立プレートを貼り付けるためのクリップ部材または面ファスナーまたは磁気素子が設置されていることを特徴とする、請求項１に記載の多機能ドアと家具との複合製品。
【請求項４】
前記多角形プレート上に、異なる材料からなる剛軟度の異なる材料マットが設置されていることを特徴とする、請求項２に記載の多機能ドアと家具との複合製品。
【請求項５】
前記支持フレームは３次元空間内で３本の支持レバーが垂直に交互に設置されてなり、或いは２次元空間内で２本の支持レバーが平行に設置されて構成されることを特徴とする、請求項１に記載の多機能ドアと家具との複合製品。
【請求項６】
前記支持フレームの額縁内部の辺縁に、組立プレートを貼り付けるためのクリップ部材または面ファスナーまたは磁気素子が設置されていることを特徴とする、請求項１に記載の多機能ドアと家具との複合製品。
【考案の詳細な説明】
【技術分野】
【０００１】    本考案は日常生活の家具向け多機能ドアと家具との複合製品に関する。
【背景技術】
【０００２】    従来の技術にはいろいろなドアまたはテーブルまたは椅子が示されているが、その大部分の従来のドアまたはテーブルまたは椅子の日常生活における担当機能が単一である。例えば、あるテーブルは一般に物体を載置する機能を有し、あるテーブルは使用された後、指定スペース内に折り畳まれて置かれる。従来の一般の部屋のドアは、開かれると部屋の位置を占め、またあるドアは開閉機能を有し、フックを追加して対象物を配置するのがせいぜいである。上記のように、前記従来のドアまたはテーブルまたは椅子は、占有スペースの面積が大きく、機能が単一で、使い勝手が低い。
【考案の概要】
【考案が解決しようとする課題】
【０００３】  上記従来の技術に存在する技術欠陥に鑑み、本考案が解決しようとする課題の目的は、有効なスペース内に機能が多様化し、占有スペースが小さく、使い勝手が高い多機能ドアと家具との複合製品を提供することである。
【課題を解決するための手段】
【０００４】  上記課題を解決するため、本考案により提供される技術的手段は、支持フレームと、少なくとも１枚の組立プレートとを含む多機能ドアと家具との複合製品であって、前記支持フレームはドアフレームの取付位置制限或いは部屋レイアウトの制限を受けない支持レバーを少なくとも２つ含み、前記支持レバーと組立プレートとは分離可能に接続され、組立プレートと支持フレームとは接続されて複数種の異なる形状のドアまたは家具に形成される多機能ドアと家具との複合製品である。【０００５】  上記主な技術的特徴によれば、前記組立プレートは２枚以上の多角形プレートで組み合わせられてなり、かつ隣接する２枚の多角形プレートは対向して折り畳まれる。【０００６】  上記主な技術的特徴によれば、支持フレームと組立プレートとの交差箇所に、組立プレートを貼り付けるためのクリップ部材または面ファスナーまたは磁気素子が設置されている。【０００７】  上記主な技術的特徴によれば、前記多角形プレート上に、異なる材料からなる剛軟度の異なる材料マットが設置されている。【０００８】  上記主な技術的特徴によれば、前記支持フレームは３次元空間内で３本の支持レバーが垂直に交互に設置されてなり、或いは２次元空間内で２本の支持レバーが平行に設置されて構成される。【０００９】  上記主な技術的特徴によれば、前記支持フレームの額縁内部の辺縁に、組立プレートを貼り付けるためのクリップ部材または面ファスナーまたは磁気素子が設置されている。
【考案の効果】
【００１０】  本考案の有益な効果は以下の通りである。前記支持フレームはドアフレームの取付位置制限或いは部屋レイアウトの制限を受けない支持レバーを少なくとも２つ含み、前記支持レバーと組立プレートとは分離可能に接続され、組立プレートと支持フレームとは接続されて複数種の異なる形状のドアまたは家具に形成されるため、使用時、前記組立プレートは異なる方向に支持レバーに沿って回転して折り畳まれ、並びに前記多角形プレートは異なる方向に沿って回転して折り畳まれ、クッション、リクライニングチェア、ベッド、テーブル、サイドテーブル、陳列棚、飾り家具等に共に折り畳まれて接合組立されてなり、異なる用途形態の実体に用いられるように１枚のドアを各種の異なる家具或いは異なる形状構造に機能変換させ、即ち、ドア形態を家具に変換し、或いは家具をドア形態に変換する発想の両方が併存することによって、使用機能の用途が多様化し、占有スペースが小さくなり、及び使い勝手を向上する効果に達する。【００１１】  以下、図面及び実施例を組み合わせて本考案の技術的手段を更に詳細に説明する。
【図面の簡単な説明】
【００１２】
【図１】本考案における複合製品の断面図である。
【図２】本考案における両開きドアの模式図である。
【図３】本考案における片開きドアの模式図である。
【図４】本考案における片開きドアの模式図である。
【図５】本実施例における片開きドアの使用状態の模式図である。
【図６】本実施例における片開きドアの使用状態の模式図である。
【図７】本実施例における片開きドアの使用状態の模式図である。
【図８】本実施例における片開きドアの使用状態の模式図である。
【図１０】本実施例におけるペットドアの模式図である。
【図１１】本実施例におけるペットドアの模式図である。
【図１２】本実施例におけるペットドアの模式図である。
【図１３】本実施例におけるペットドアの模式図である。
【図１４】本実施例におけるペットドアの模式図である。
【図１５】本実施例におけるペットドアの模式図である。
【図１６】本実施例におけるベビーサークルの模式図である。
【図１７】本実施例におけるクッションの模式図である。
【図１８】本実施例におけるリクライニングチェアの模式図である。
【図１９】本実施例におけるベッドの模式図である。
【図２０】本実施例におけるテーブルの模式図である。
【図２９】本実施例における陳列棚の模式図である。
【図３０】本実施例におけるベビーサークルの模式図である。
【図３１】本実施例におけるベビーサークルの模式図である。
【図３２】本実施例におけるベビーサークルの模式図である。
【図３３】本実施例におけるベビーサークルの模式図である。
【図３４】本実施例におけるベビーサークルの模式図である。
【図３５】本実施例におけるベビーサークルの模式図である。
【図３６】本実施例におけるベビーサークルの模式図である。
【図３７】本実施例におけるベビーサークルの模式図である。
【図３８】本実施例におけるベビーサークルの模式図である。
【図３９】本実施例におけるベビーサークルの模式図である。
【図４０】本実施例におけるベビーサークルの模式図である。
【図４１】本実施例におけるベビーサークルの模式図である。
【図４２】本実施例におけるベビーサークルの模式図である。
【図４３】本実施例におけるベビーサークルの模式図である。
【図４４】本実施例におけるベビーサークルの模式図である。
【図４５】本実施例におけるベビーサークルの模式図である。
【図４６】本実施例における組立プレートが折り畳まれた後の状態の模式図である。
【考案を実施するための形態】
【００１３】  本考案が解決しようとする課題、技術的手段及び有益な効果をさらに明確、明瞭にするため、以下、図面及び実施例を組み合わせて本考案をさらに詳細に説明する。ここに示された具体的な実施例は本考案の解釈のみのために用いられるものであり、本考案を制限するためのものではないことは明かである。
【００１４】  図１及び図２に示すことを参照し、以下、実施例を組み合わせ、支持フレーム１と、少なくとも２枚の組立プレート２を含む多機能ドアと家具との複合製品を説明する。
【００１５】  前記支持フレーム１は、ドアフレームの取付位置制限或いは部屋レイアウトの制限を受けない支持レバーを少なくとも２つ含む。前記支持フレーム１は、３次元空間内で３本の支持レバーが垂直に交互に設置されてなり、或いは２次元空間内で２本の支持レバーが平行に設置されて構成される。支持フレーム１と組立プレート２との交差箇所に、組立プレート２を貼り付けるためのクリップ部材または面ファスナーまたは磁気素子が設置されている。
【００１６】  前記組立プレート２は２枚以上の多角形プレートで組み合わせられてなり、かつ隣接する２枚の多角形プレートは対向して折り畳まれる。多角形プレートは２枚ずつ小さなブロックに折り畳まれる。前記支持レバーと多角形プレートはクリップ部材または面ファスナーまたは磁石を貼り付ける方式によって、複数種の異なる形状のドアまたは家具に接合、折畳、組立されてなる。前記多角形プレート上に剛軟度の異なる材料マットが設置されている。前記支持フレーム１の額縁内部の辺縁に、組立プレート２を貼り付けるためのクリップ部材または面ファスナーまたは磁気素子が設置されている。
【００１７】  両開きドアを実施例とし、前記３本の支持レバーはそれぞれ同時に同一の水平面に位置し、３本の支持レバーはそれぞれ平行に設置され、該３本の支持レバーは平行に設置される２つの片開きドアを形成する。前記組立プレート２はそれぞれ面ファスナーまたは磁気素子または貼付クリップ部材によって、３本の支持レバーで形成されたフレーム内に固定して取り付けられる。それによって、３つの支持レバーと４枚の組立プレート２とは両開きドアに接合組立される。
【００１８】  図３及び図４に示すことを参照し、片開きドアを一例とし、２本の支持レバーは同じスペースの同一平面内に取り付けられ、２本の支持レバーは平行に設置される。前記２枚の組立プレート２はそれぞれクリップ部材または面ファスナーまたは磁石を貼り付ける方式によって、２本の支持レバーで形成されたフレーム内部の上端と下端に取り付けられ、即ち、２枚の組立プレート２と２本の支持レバーとは片開きドアに接合組立され、該片開きドアは右に開くドアでもよく、左に開くドアでもよい。
【００１９】  図５乃至図８に示すことを参照し、２つの片開きドアは３次元空間内にあり、２つの支持レバーは水平スペースの平面内に置かれてフレームを形成し、２つの支持レバーは平行に設置される。他の１つの支持レバーと水平スペース内の１本の支持レバーとは平行に設置され、水平スペースと垂直スペースとは垂直に交差して設置され、該２つの支持レバー及び支持はフレームに形成される。前記組立プレート２はそれぞれ貼付クリップ部材または面ファスナーまたは磁石によって、２つの支持レバーで形成されたフレーム内に固定して取り付けられ、即ち、片開きドアと片開きドアとは垂直となる。相互に垂直な２つの片開きドアにおいて、１つの片開きドア内に２枚の組立プレート２が取り付けられてもよい。片開きドア内に１つの多角形ドア或いは複数の多角形ドアが取り付けられてもよい。
【００２０】  図９乃至図１５に示すことを参照し、ペットドアを一例とし、片開きドアと片開きドアとは垂直であり、一側の片開きドアの上端または下端に位置する組立プレート２は開または閉状態となり、或いは、一側の片開きドアに位置する上端の多角形プレートは下に向かって湾曲して開となり、並びに同一側の片開きドアに位置する下端の組立プレート２における多角形プレートは上に向かって湾曲して開となり、異なる形状のペットドアを形成する。
【００２１】  図１０及び図１６に示すことを参照し、ベビーサークルを一例とし、片開きドアと片開きドアとは垂直であり、１つの片開きドア内において、一側の片開きドアの上端に位置する組立プレート２は開となり、或いは上端と下端の隣接する多角形プレートをそれぞれ同一方向に湾曲し、前記ベビーサークルを形成する。
【００２２】  図１７に示すことを参照し、クッションを一例とし、片開きドアと片開きドアとは垂直であり、相互に垂直な２つの片開きドアに設置される２枚の組立プレート２をそれぞれすべて片開きドアの底部に折り畳むと、クッションに形成される。
【００２３】  図１８に示すことを参照し、リクライニングチェアを一例とし、片開きドアと片開きドアとは垂直であり、２枚の組立プレート２は直接床に垂直となり、片開きドア上に設置される他の的組立プレート２は折り畳まれて床に平行に置かれ、即ち、リクライニングチェアに形成される。
【００２４】  図１９に示すことを参照し、ベッドを一例とし、片開きドアと片開きドアとは垂直であり、片開きドア上に設置される４枚の組立プレート２をそれぞれ水平面上に平行に折り畳むように敷設し、前記１群の組立プレート２を片開きドアの外側に置き、ベッドを形成する。
【００２５】  図２０乃至図２８に示すことを参照し、テーブルを一例とし、片開きドアと片開きドアとは垂直であり、片開きドアの上端に設置される組立プレートは下に向かって折り畳まれてテーブル面となり、さらに片開きドアの下端に設置される２枚の多角形プレートをそれぞれ内に向かって湾曲して折り畳んでテーブル面の支持脚とし、同じ形状のテーブルを形成する。片開きドア上に設置される複数枚の多角形プレートを一体に互いに重なり合わせて折り畳み、多角形プレート群を形成し、該多角形プレート群は中心位置にある支持レバー上に置かれ、前記多角形プレートは異なる方向に置かれ、異なる形状のテーブル面を形成する。片開きドア上に設置される３枚の組立プレートを片開きドアの底端に置き、他の１枚の組立プレート２を片開きドアの外周に置き、テーブル面を形成する。
【００２６】  図２９に示すことを参照し、陳列棚を一例とし、片開きドアと片開きドアとは垂直であり、片開きドア上に設置される４枚の組立プレート２は下に向かって湾曲し、その後、さらに内または外に向かって湾曲し、多角形プレートと多角形プレートとが接続されるように形成され、かつ多角形プレートと多角形プレートとの間に三角状の収容スペースが形成され、該収容スペースに各種の物品を載置することができ、即ち、陳列棚となる。
【００２７】  図３０乃至図４５に示すことを参照し、飾り物を一例とし、片開きドアと片開きドアとは垂直であり、顧客の異なる需要に応じて、組立プレート２を異なる形状の装飾具に湾曲して折り畳むことができ、該装飾具は異なる形状、異なる大きさ、異なる種類の飾り物の物体である。
【００２８】  図４６に示すことを参照し、片開きドアと片開きドアとは垂直であり、片開きドアに設置される複数枚の組立プレートを支持レバー上にすべて折り畳み、該支持レバーは２つの片開きドアの相互に垂直な箇所に位置する。
【００２９】  支持フレーム１は、少なくとも２つの支持ステーション本体が１つの典型的なドアが開いている箇所のスペースの床にある。支持フレームの構造は独立して立つことができ、従来のドアフレーム或いは従来の環境に固定される必要がない。ドアの開き方向に左右され、支持フレーム１は従来の左に開くドアまたは右に開くドアの部屋レイアウトに適用することができる。支持台は側壁と他方のドアフレームの前にあるため、この支持フレーム１の配置は、従来の部屋レイアウトを変更する必要がないと共に、従来の通路流通を阻害しない。支持フレーム１はさらに吸引力がある１つの特徴を有し、折り畳み可能な組立プレート２を吸収し、他の箇所に貼り付けることができる。折り畳み可能な組立プレート２を支持フレームに手動で取り付け、或いは適時に取り外すことができると共に、繰り返して取り付け、取り外すことができる。折り畳み可能な組立プレート２は少なくとも３つの比較的小さい部材からなり、かつ相互に接続される。異なる形式の折り目を有することができると共に、各種の家具または形状に折り畳むことができ、異なる機能に適用される。独立した各部材を異なるものとすることができ、柔らかいものは着座、就寝等のために用いることができ、硬いものは対象物の載置、作業等のために用いることができる。独立した各部材は相互に吸引し、折り畳まれた部位を一体に貼り付けることができる。
【００３０】  なお、展開、折り畳み可能な組立プレート２を異なる方法によって開け広げ、完全に開け広げて標準的なドアとし、或いは一部を開け広げてバリアまたはペットドア等とすることができる。それを一部の開口を有するドア、または衝立に変換することができ、クッション、リクライニングチェア、ベッド、テーブル、サイドテーブル、陳列棚等を含むがこれらに制限されない異なる家具に変換することもできる。本考案の目的は、１つの新規ドアを創作し、異なる用途に用いられるようにそれを各種の家具または形状に変換することができ、ドアが開いている箇所のスペースを十分に利用することによって、家具が占用するスペースを節約し、並びにドアが開いている箇所のスペースを十分に利用することができることである。
【００３１】  本考案はドアを家具、並びに家具をドアに変換し、或いはドア及び家具が併存する１種類の形態に変換することができる。したがって、本考案の発明のドアは多機能性を備えており、例えば仰臥可能なクッションパッド、テーブル、椅子、陳列棚、ベビーサークル及びペットドア等に変化することができ、一般のドアの応用面を増加することで、家具のスペースをさらに使い勝手よく活用することができ、例えばホンコン、東京、深セン等大都市の居住スペースが狭いという問題を解決することができる。
【産業上の利用可能性】
【００３２】  上述したとおり、前記支持フレーム１は、ドアフレームの取付位置制限或いは部屋レイアウトの制限を受けない支持レバーを少なくとも２つ含み、前記支持レバーと組立プレートとは分離可能に接続され、組立プレートと支持フレームとは接続されて複数種の異なる形状のドアまたは家具に形成されるため、使用時、前記組立プレート２は異なる方向に支持レバーに沿って回転して折り畳まれ、並びに前記多角形プレートは異なる方向に沿って回転して折り畳まれ、クッション、リクライニングチェア、ベッド、テーブル、サイドテーブル、陳列棚、飾り家具に共に折り畳まれて接合組立されてなり、異なる用途形態の実体に用いられるように１枚のドアを各種の異なる家具或いは異なる形状構造に機能変換し、即ち、ドア形態を家具に変換し、或いは家具をドア形態に変換する発想或いは両方が併存し、したがって使用機能の用途が多様化し、占有スペースが小さくなり、及び使い勝手を向上する効果に達する。【００３３】  以上、図面を参照して本考案の好適な実施例を説明したが、本考案の請求の範囲を限定するものではない。当業者が本考案の範囲及び実質を逸脱せずに行った如何なる修正、同等の置き換え及び改良もいずれも本考案の請求の範囲内にあるべきである。
【図１】
0003210299.tif 000003
【図２】
0003210299.tif 000004
【図３】
0003210299.tif 000005
【図４】
0003210299.tif 000006
【図５】
0003210299.tif 000007
【図６】
0003210299.tif 000008
【図７】
0003210299.tif 000009
【図８】
0003210299.tif 000010
【図９】
0003210299.tif 000011
【図１０】
0003210299.tif 000012
【図１１】
0003210299.tif 000013
【図１２】
0003210299.tif 000014
【図１３】
0003210299.tif 000015
【図１４】
0003210299.tif 000016
【図１５】
0003210299.tif 000017
【図１６】
0003210299.tif 000018
【図１７】
0003210299.tif 000019
【図１８】
0003210299.tif 000020
【図１９】
0003210299.tif 000021
【図２０】
0003210299.tif 000022
【図２１】
0003210299.tif 000023
【図２２】
0003210299.tif 000024
【図２３】
0003210299.tif 000025
【図２４】
0003210299.tif 000026
【図２５】
0003210299.tif 000027
【図２６】
0003210299.tif 000028
【図２７】
0003210299.tif 000029
【図２８】
0003210299.tif 000030
【図２９】
0003210299.tif 000031
【図３０】
0003210299.tif 000032
【図３１】
0003210299.tif 000033
【図３２】
0003210299.tif 000034
【図３３】
0003210299.tif 000035
【図３４】
0003210299.tif 000036
【図３５】
0003210299.tif 000037
【図３６】
0003210299.tif 000038
【図３７】
0003210299.tif 000039
【図３８】
0003210299.tif 000040
【図３９】
0003210299.tif 000041
【図４０】
0003210299.tif 000042
【図４１】
0003210299.tif 000043
【図４２】
0003210299.tif 000044
【図４３】
0003210299.tif 000045
【図４４】
0003210299.tif 000046
【図４５】
0003210299.tif 000047
【図４６】
0003210299.tif 000048
【手続補正書】
【提出日】平成29年3月3日(2017.3.3)
【手続補正２】
【補正対象書類名】明細書
【補正対象項目名】００１２
【補正方法】変更
【補正の内容】
【００１２】
【図１】本考案における複合製品の断面図である。
【図２】本考案における両開きドアの模式図である。
【図３】本考案における片開きドアの模式図である。
【図４】本考案における片開きドアの模式図である
【図５】本実施例における片開きドアの使用状態の模式図である。
【図６】本実施例における片開きドアの使用状態の模式図である。
【図７】本実施例における片開きドアの使用状態の模式図である。
【図８】本実施例における片開きドアの使用状態の模式図である。
【図９】本実施例におけるペットドアの模式図である。
【図１０】本実施例におけるペットドアの模式図である。
【図１１】本実施例におけるペットドアの模式図である。
【図１２】本実施例におけるペットドアの模式図である。
【図１３】本実施例におけるペットドアの模式図である。
【図１４】本実施例におけるペットドアの模式図である。
【図１５】本実施例におけるペットドアの模式図である。
【図１６】本実施例におけるペットドアの模式図である。
【図１７】本実施例におけるペットドアの模式図である。
【図１８】本実施例におけるペットドアの模式図である。
【図１９】本実施例におけるベッドの模式図である。
【図２０】本実施例におけるテーブルの模式図である。
【図２１】本実施例におけるテーブルの模式図である。
【図２２】本実施例におけるテーブルの模式図である。
【図２３】本実施例におけるテーブルの模式図である。
【図２４】本実施例におけるテーブルの模式図である。
【図２５】本実施例におけるテーブルの模式図である。
【図２６】本実施例におけるテーブルの模式図である。
【図２７】本実施例におけるテーブルの模式図である。
【図２８】本実施例におけるテーブルの模式図である。
【図２９】本実施例における陳列棚の模式図である。
【図３０】本実施例におけるベビーサークルの模式図である。
【図３１】本実施例におけるベビーサークルの模式図である。
【図３２】本実施例におけるベビーサークルの模式図である。
【図３３】本実施例におけるベビーサークルの模式図である。
【図３４】本実施例におけるベビーサークルの模式図である。
【図３５】本実施例におけるベビーサークルの模式図である。
【図３６】本実施例におけるベビーサークルの模式図である。
【図３７】本実施例におけるベビーサークルの模式図である。
【図３８】本実施例におけるベビーサークルの模式図である。
【図３９】本実施例におけるベビーサークルの模式図である。
【図４０】本実施例におけるベビーサークルの模式図である。
【図４１】本実施例におけるベビーサークルの模式図である。
【図４２】本実施例におけるベビーサークルの模式図である。
【図４３】本実施例におけるベビーサークルの模式図である。
【図４４】本実施例におけるベビーサークルの模式図である。
【図４５】本実施例におけるベビーサークルの模式図である。
【図４６】本実施例における組立プレートが折り畳まれた後の状態の模式図である。